【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
潤滑粘度の油、および亜鉛塩以外の亜リン酸エステル組成物（Ａ）を含む潤滑剤組成物であって、前記亜リン酸エステル組成物（Ａ）が、
（ａ）モノマー亜リン酸またはそのエステルと
（ｂ）少なくとも２つのアルキレンジオールと
の反応生成物を含み、
第１のアルキレンジオール（ｉ）が１，４または１，５または１，６の関係で２つのヒドロキシ基を有し；
第２のアルキレンジオール（ｉｉ）がアルキル置換１，３−プロピレンジオールであり、そのアルキル置換基の１つまたは複数が、プロピレン単位の炭素原子の１つまたは複数上にあり、前記アルキル置換１，３−プロピレンジオール中の炭素原子の総数が約５〜約１２であり；
モノマー亜リン酸またはそのエステル（ａ）と前記アルキレンジオールの合計（ｂ）の相対モル量が約０．９：１．１〜約１．１：０．９の比であり；
前記第１のアルキレンジオール（ｉ）と前記アルキル置換１，３−プロピレンジオール（ｉｉ）の相対モル量が約３０：７０〜約６５：３５の比である、潤滑剤組成物。
【請求項２】
前記亜リン酸エステル組成物の量が、前記潤滑剤組成物の約０．０５または０．０６〜約２．０重量パーセントである、請求項１に記載の潤滑剤組成物。
【請求項３】
モノマー亜リン酸エステルがジメチルホスファイトを含む、請求項１に記載の潤滑剤組成物。
【請求項４】
前記第１のアルキレンジオールが、１，４−ブタンジオール、１，５−ペンタンジオールまたは１，６−ヘキサンジオールを含む、請求項１に記載の潤滑剤組成物。
【請求項５】
前記第２のアルキレンジオールが、２−エチル−２−ブチルプロパン−１，３−ジオール、２−エチルヘキサン−１，３−ジオール、２，２−ジブチルプロパン−１，３−ジオールまたは２−メチル−２−プロピルプロパン−１，３−ジオールを含む、請求項１に記載の潤滑剤組成物。
【請求項６】
前記亜リン酸エステル組成物が、２または３〜約２０個のリン原子を含む少なくとも１つのオリゴマー種、および単一のリン原子を含む少なくとも１つの環状モノマー種を含む、請求項１に記載の潤滑剤組成物。
【請求項７】
単一のリン原子、および前記第２のアルキレンジオールから誘導される３個の炭素原子の鎖を含む環状モノマー種を含む、請求項１に記載の潤滑剤組成物。
【請求項８】
前記環状モノマー種の前記オリゴマー種の量に対する相対量が、重量で約１：３〜約１：１または約１：３〜約１：０．８である、請求項１に記載の潤滑剤組成物。
【請求項９】
前記亜リン酸エステル組成物の量が、前記組成物に約０．０１〜約０．３重量パーセントのリンを提供する量である、請求項１に記載の潤滑剤組成物。
【請求項１０】
少なくとも１つの分散剤、粘度調整剤、酸化防止剤または腐食防止剤をさらに含む、請求項１に記載の潤滑剤組成物。
【請求項１１】
置換チアジアゾール腐食防止剤をさらに含む、請求項１に記載の潤滑剤組成物。
【請求項１２】
前記潤滑粘度の油が、約２．８ｍｍ２／ｓ（ｃＳｔ）から約５ｍｍ２／ｓ（ｃＳｔ）までまたは約３．６ｍｍ２／ｓ（ｃＳｔ）までの１００℃での動粘度および約１０４〜約１３０または約１１０〜約１２０未満の粘度指数を有し、
前記潤滑剤組成物が：
（Ｂ）約１．２〜約５．０ｗｔ％の、硫黄またはリン部分でさらに官能化されている少なくとも１つのホウ素化分散剤；
（Ｃ）前記潤滑剤組成物に少なくとも約１１０ｐｐｍ〜約７００ｐｐｍのカルシウムをもたらす量で存在する、カルシウム含有清浄剤；
（Ｄ）前記亜リン酸エステル組成物（Ａ）に加えて少なくとも１つのリン含有化合物、および、
（Ｅ）約０．１ｗｔ％〜約５ｗｔ％の、分散機能を有するポリマー粘度調整剤であって、約５，０００〜約２５，０００の重量平均分子量を有する、ポリマー粘度調整剤
をさらに含む、請求項１に記載の潤滑剤組成物。
【請求項１３】
非ホウ素化分散剤をさらに含む、請求項１に記載の潤滑剤組成物。
【請求項１４】
機械装置を潤滑化する方法であって、前記機械装置に請求項１に記載の潤滑剤組成物を供給することを含む、方法。
【手続補正２】
【補正対象書類名】明細書
【補正対象項目名】０１５３
【補正方法】変更
【補正の内容】
【０１５３】
上記に参照した文献のそれぞれを参照により本明細書に組み込む。いずれかの文献への言及は、そうした文献が従来技術として適格とすること、または任意の管轄区域内の当業者の一般的知見を構築することを承認するものではない。実施例または他に明確に示されている場合を除いて、材料、反応条件、分子量、炭素原子数などの量を指定する本説明におけるすべての数量は、「約（about）」という用語で修飾されているものと理解すべきである。別段の指定のない限り、本明細書で参照する各化合物または組成物は、通常、商用グレード中に存在すると理解されている異性体、副生成物、誘導体および他のそうした材料を含有し得る、商用グレードの材料であるものと解釈すべきである。しかし、各化学成分の量は、別段の指定のない限り、市販の材料中に慣行的に存在し得る任意の溶媒または希釈油を除いて提示される。本明細書で示される量、範囲および比の上限値および下限値は独立に組み合わせることができることを理解すべきである。同様に、本発明の各要素についての範囲および量は、他の要素のいずれかについての範囲または量と一緒に使用することができる。本明細書で使用されるような、「〜から本質的になる（consisting  essentially  of）」という表現は、考慮下にある組成物の基本的および新規な特徴に実質的に影響を及ぼさない物質の包含を許容するものである。
一実施形態において、例えば、以下の項目が提供される。
（項目１）
潤滑粘度の油、および亜鉛塩以外の亜リン酸エステル組成物（Ａ）を含む潤滑剤組成物であって、前記亜リン酸エステル組成物（Ａ）が、
（ａ）モノマー亜リン酸またはそのエステルと
（ｂ）少なくとも２つのアルキレンジオールと
の反応生成物を含み、
第１のアルキレンジオール（ｉ）が１，４または１，５または１，６の関係で２つのヒドロキシ基を有し；
第２のアルキレンジオール（ｉｉ）がアルキル置換１，３−プロピレンジオールであり、そのアルキル置換基の１つまたは複数が、プロピレン単位の炭素原子の１つまたは複数上にあり、前記アルキル置換１，３−プロピレンジオール中の炭素原子の総数が約５〜約１２であり；
モノマー亜リン酸またはそのエステル（ａ）と前記アルキレンジオールの合計（ｂ）の相対モル量が約０．９：１．１〜約１．１：０．９の比であり；
前記第１のアルキレンジオール（ｉ）と前記アルキル置換１，３−プロピレンジオール（ｉｉ）の相対モル量が約３０：７０〜約６５：３５の比である、潤滑剤組成物。
（項目２）
前記亜リン酸エステル組成物の量が、前記潤滑剤組成物の約０．０５または０．０６〜約２．０重量パーセントである、項目１に記載の潤滑剤組成物。
（項目３）
モノマー亜リン酸エステルがジメチルホスファイトを含む、項目１または２に記載の潤滑剤組成物。
（項目４）
前記第１のアルキレンジオールが、１，４−ブタンジオール、１，５−ペンタンジオールまたは１，６−ヘキサンジオールを含む、項目１〜３のいずれか一項に記載の潤滑剤組成物。
（項目５）
前記第２のアルキレンジオールが、２−エチル−２−ブチルプロパン−１，３−ジオール、２−エチルヘキサン−１，３−ジオール、２，２−ジブチルプロパン−１，３−ジオールまたは２−メチル−２−プロピルプロパン−１，３−ジオールを含む、項目１〜４のいずれか一項に記載の潤滑剤組成物。
（項目６）
前記亜リン酸エステル組成物が、２または３〜約２０個のリン原子を含む少なくとも１つのオリゴマー種、および単一のリン原子を含む少なくとも１つの環状モノマー種を含む、項目１〜５のいずれか一項に記載の潤滑剤組成物。
（項目７）
単一のリン原子、および前記第２のアルキレンジオールから誘導される３個の炭素原子の鎖を含む環状モノマー種を含む、項目１〜６のいずれか一項に記載の潤滑剤組成物。
（項目８）
前記環状モノマー種の前記オリゴマー種の量に対する相対量が、重量で約１：３〜約１：１または約１：３〜約１：０．８である、項目６または７に記載の潤滑剤組成物。
（項目９）
前記亜リン酸エステル組成物の量が、前記組成物に約０．０１〜約０．３重量パーセントのリンを提供する量である、項目１〜８のいずれかに記載の潤滑剤組成物。
（項目１０）
少なくとも１つの分散剤、粘度調整剤、酸化防止剤または腐食防止剤をさらに含む、項目１〜９のいずれかに記載の潤滑剤組成物。
（項目１１）
置換チアジアゾール腐食防止剤をさらに含む、項目１〜８のいずれかに記載の潤滑剤組成物。
（項目１２）
前記潤滑粘度の油が、約２．８ｍｍ２／ｓ（ｃＳｔ）から約５ｍｍ２／ｓ（ｃＳｔ）までまたは約３．６ｍｍ２／ｓ（ｃＳｔ）までの１００℃での動粘度および約１０４〜約１３０または約１１０〜約１２０未満の粘度指数を有し、
前記潤滑剤組成物が：
（Ｂ）約１．２〜約５．０ｗｔ％の、硫黄またはリン部分でさらに官能化されている少なくとも１つのホウ素化分散剤；
（Ｃ）前記潤滑剤組成物に少なくとも約１１０ｐｐｍ〜約７００ｐｐｍのカルシウムをもたらす量で存在する、カルシウム含有清浄剤；
（Ｄ）前記亜リン酸エステル組成物（Ａ）に加えて少なくとも１つのリン含有化合物、および、
（Ｅ）約０．１ｗｔ％〜約５ｗｔ％の、分散機能を有するポリマー粘度調整剤であって、約５，０００〜約２５，０００の重量平均分子量を有する、ポリマー粘度調整剤
をさらに含む、項目１〜１１のいずれかに記載の潤滑剤組成物。
（項目１３）
前記追加のリン含有化合物（Ｄ）がリン酸を含む、項目１２に記載の潤滑剤組成物。
（項目１４）
前記ホウ素化分散剤（Ｂ）が、ホウ素化ポリイソブチレンスクシンイミド分散剤であり、前記ホウ素化ポリイソブチレンスクシンイミドのポリイソブチレンが約７５０〜約２２００、または約７５０〜約１３５０、または約７５０〜約１１５０の数平均分子量を有する、項目１２または１３に記載の組成物。
（項目１５）
非ホウ素化分散剤をさらに含む、項目１〜１４のいずれかに記載の潤滑剤組成物。
（項目１６）
前記非ホウ素化分散剤がポリイソブチレンスクシンイミドであり、そのポリイソブチレンポーションが、約７５０〜約２２００、または約７５０〜約１３５０、または約７５０〜約１１５０の数平均分子量を有する、項目１５に記載の潤滑剤組成物。
（項目１７）
前記ホウ素化分散剤が、約０．９：１〜約１．６：１、または約０．９５：１〜約１．５：１、または約１．０：１〜約１：４のＮ：ＣＯ比を有する、項目１２〜１６のいずれかに記載の潤滑剤組成物。
（項目１８）
前記組成物が、Ｃ８〜２０ヒドロカルビルホスファイト、またはＣ１２〜１８ヒドロカルビルホスファイト、またはＣ１６〜１８ヒドロカルビルホスファイトをさらに含む、項目１〜１７のいずれかに記載の潤滑剤組成物。
（項目１９）
前記カルシウム含有清浄剤（Ｃ）が、カルシウムスルホネートまたはカルシウムフェネートである、項目１２〜１８のいずれかに記載の潤滑剤組成物。
（項目２０）
（Ｇ）約０．２〜約３重量パーセントの、構造Ｒ３−Ｃ（＝Ｏ）−ＮＲ１Ｒ２（式中、Ｒ１およびＲ２は、それぞれ独立に、少なくとも６個の炭素原子、例えば６〜２４個の炭素原子のヒドロカルビル基であり、Ｒ３は１〜６個の炭素原子のヒドロキシアルキル基である）で表されるアミド；
（Ｈ）約０．０３〜約０．５重量パーセントの、構造Ｒ４Ｒ５ＮＲ６（式中、Ｒ４およびＲ５は、それぞれ独立に、少なくとも６個の炭素原子、例えば６〜２４個の炭素原子のヒドロカルビル基であり、Ｒ６は、少なくとも２つのヒドロキシ基で置換されたアルキル基である）で表される第三級アミン；
（Ｉ）約２〜約５重量パーセントの、（ｉ）ジメルカプトチアジアゾール、（ｉｉ）ホウ素化剤および（ｉｉｉ）無機リン化合物ならびに任意選択の（ｉｖ）ベンゼン環上の１，３または１，４位に酸基を有する芳香族二酸と反応された窒素含有分散剤；
（Ｊ）約０．２〜約２重量パーセントの、２つのアルキル基が独立に３〜６個の炭素原子を含有するジアルキルホスファイト、例えばジブチルホスファイト；および
（Ｋ）約０．１〜約１重量パーセントの、各アルキル基が独立に４〜約１２個の炭素原子を含有するトリアルキルボレート
をさらに含む、項目１〜１１のいずれかに記載の潤滑剤組成物。
（項目２１）
（Ｎ）０．１〜４重量パーセントの、少なくとも２００、例えば２５０〜１０００のＴＢＮ（油フリーベースで計算して）を有する金属含有過塩基性清浄剤であって、前記潤滑剤組成物に対して０．０３〜１．０重量％のカルシウムを与える金属含有過塩基性清浄剤；
（Ｏ）約０．０５〜約３重量パーセントの、ヒドロカルビル基がそれぞれ独立に２〜８個の炭素原子を含むジヒドロカルビルホスファイトまたはトリヒドロカルビルホスファイト；
（Ｐ）前記潤滑剤組成物に重量で約１００〜約２０００百万分率のリンを提供する量で、ジアルキルジチオリン酸亜鉛、あるいはモノ−もしくはジ−アルキルリン酸またはチオリン酸エステルのＣ８〜Ｃ２０アルキルアミン塩を含むリン含有材料；
（Ｑ）約０．１〜約０．３重量パーセントの、２，５−ジメルカプト−１，３，４−チアジアゾールまたはヒドロカルビル置換２，５−ジメルカプト−１，３，４−チアジアゾール；および
（Ｒ）約０．１〜約５重量パーセントの窒素含有分散剤
をさらに含む、項目１〜１１のいずれかに記載の潤滑剤組成物。
（項目２２）
（Ｗ）約１〜約３重量パーセントのアルキルスクシンイミド分散剤、
（Ｘ）約０．２〜約０．７重量パーセントの腐食防止剤；
（Ｙ）約０．２５〜約０．６５重量パーセントの１つまたは複数の摩擦調整剤；および
（Ｚ）約０．０５〜約０．４重量パーセントの清浄剤
をさらに含む、項目１〜１１のいずれかに記載の潤滑剤組成物。
（項目２３）
（ａ）約０．２〜約２重量パーセントの１つまたは複数のリンベースの耐摩耗剤；
（ｂ）約０．１〜約１重量パーセントのホウ素化分散剤；
（ｃ）約０．５〜約５重量パーセントの、ホウ素化分散剤以外の分散剤；
（ｄ）約０．０３〜約０．３重量パーセントのホウ酸エステル摩擦調整剤；
（ｅ）約０．１〜約１．０重量パーセントの過塩基性金属清浄剤；
（ｆ）約０．０３〜約０．３重量パーセントの１つまたは複数の腐食防止剤；および
（ｇ）全部で約０．５〜約３重量パーセントの、流動点降下剤、酸化防止剤、消泡剤、エステルまたは摩擦安定剤の１つまたは複数の追加の添加剤
をさらに含む、項目１〜１１のいずれかに記載の潤滑剤組成物。
（項目２４）
約０．７５〜約６重量パーセントの無灰分散剤；
約０．２〜約３重量パーセントの酸化防止剤；
０〜約４重量パーセントの分散性粘度調整剤；
約０．１〜約６重量パーセントの過塩基性清浄剤
約０．１〜約１０重量パーセントの耐摩耗剤；
約０．０５〜約４重量パーセントの摩擦調整剤；および
最大で約８重量パーセントの他の任意の性能添加剤
をさらに含む、項目１〜１１のいずれかに記載の潤滑剤組成物。
（項目２５）
前記亜リン酸エステル組成物（Ａ）の量が、約０．１〜約１．２重量パーセントである、項目２４に記載の潤滑剤。
（項目２６）
（α）約１２〜約２２個の炭素原子の少なくとも２つのヒドロカルビル基を含有するＮ−置換シュウ酸ビスアミドまたはアミド−エステル；または
（β）（ｉ）環状構造中に５もしくは６個の原子を有する環状イミドの形成を許容するように位置づけされた少なくとも２つのカルボン酸基を有する芳香族ポリカルボン酸またはその混合物またはその反応等価体と；（ｉｉ）約６〜約８０個の炭素原子を含有する脂肪族第一級アミンまたはアルコールとの縮合生成物；または
（α）と（β）の両方
を含む摩擦調整剤成分をさらに含む、項目１〜１９のいずれか一項に記載の組成物。
（項目２７）
前記摩擦調整剤が、式
【化１４】
2017533985.tif 000001
（式中、Ｒ５およびＲ７は、独立に、約１２〜約２２個の炭素原子のヒドロカルビル基であり、Ｒ６およびＲ８は、独立に、水素、または１０個もしくはそれより少ない炭素原子のヒドロカルビル基、または約１２〜約２２個の炭素原子のヒドロカルビル基である）
で表される（α）を含む、項目２６に記載の組成物。
（項目２８）
前記摩擦調整剤が、式
【化１５】
2017533985.tif 000002
（式中、Ｒ１およびＲ３のそれぞれは、独立に、約８〜約２２個の炭素原子のアルキル基であり、Ｒ２およびＲ４のそれぞれは、独立に、水素または１〜約２２個の炭素原子のアルキル基であり、ただし、Ｒ１およびＲ２の中の炭素原子の総数が少なくとも約１３であり、Ｒ３およびＲ４の中の炭素原子の総数が少なくとも約１３であることを条件とする）
で表される（β）を含む、項目２６に記載の組成物。
（項目２９）
前記摩擦調整剤成分が式
Ｒ１Ｒ２ＮＲ３
（式中、Ｒ１およびＲ２は、それぞれ独立に、少なくとも６個の炭素原子のアルキル基であり、Ｒ３は、ポリヒドロキシル含有アルキル基またはポリヒドロキシル含有アルコキシアルキル基である）
で表される（γ）第三級アミンをさらに含む、項目２６〜２８のいずれかに記載の組成物。
（項目３０）
前記摩擦調整剤成分の量が、約０．２〜約２重量パーセントである、項目２６〜２９のいずれかに記載の組成物。
（項目３１）
機械装置を潤滑化する方法であって、前記機械装置に項目１〜３０のいずれかに記載の潤滑剤組成物を供給することを含む、方法。
（項目３２）
前記機械装置がドライブトレイン構成要素である、項目３１に記載の方法。
（項目３３）
前記ドライブトレイン構成要素がトランスミッションである、項目３２に記載の方法。
（項目３４）
前記ドライブトレイン構成要素がオートマチックトランスミッションである、項目３２に記載の方法。
（項目３５）
前記機械装置が内燃機関である、項目３１に記載の方法。
（項目３６）
前記機械装置がギアを含む、項目３１に記載の方法。